(57)【要約】【課題】ＩＣチップに余計な力が掛からず、しかも外観上も見苦しくないようにしたＩＣタグラベルを提供すること。【解決手段】ＩＣタグ用インレット１１の表側にラベル表紙１５が粘着剤で貼着され、裏側に両面テープ１６を介してセパレート紙１７が貼着されてなるＩＣタグラベルにおいて、ラベル表紙１５とインレット１１の間に隠蔽シート１３を設けるとともに、ラベル表紙１５におけるＩＣチップ１１ｂに対応する部位にＩＣチップ１１ｂより大きなサイズの貫通孔１５ａを設ける。貫通孔１５ａのところにＩＣチップ１１ｂが位置するので、積み重ねた場合でもＩＣチップ１１ｂに余計な力が掛かることがない。貫通孔１５ａのところには隠蔽シート１３が位置するので、外観上ＩＣチップ１１ｂが見えない状態となり、隠蔽シート１３の色をラベル表紙１５のデザインと合わせることで、見苦しくなるのを防止できる。【選択図】図２
2008090690.tif 000002
【特許請求の範囲】
【請求項１】
ＩＣタグ用インレットの表側にラベル表紙が粘着剤で貼着され、裏側に両面テープを介してセパレート紙が貼着されてなるＩＣタグラベルにおいて、ラベル表紙とインレットの間に隠蔽シートを設けるとともに、ラベル表紙におけるＩＣチップに対応する部位にＩＣチップより大きなサイズの貫通孔を設けたことを特徴とするＩＣタグラベル。
【請求項２】
隠蔽シートの全光線透過率が５％以下であることを特徴とする請求項１に記載のＩＣタグラベル。
【発明の詳細な説明】
【技術分野】
【０００１】
本発明は、運送分野や流通分野における荷札、伝票等を始めとして、工場での工程管理での管理票などに使用されるＩＣタグラベルに関するものである。
【背景技術】
【０００２】
近年、外部処理装置との通信を非接触で行うＩＣタグが一般に広く知られるようになってきた。このＩＣタグは、情報を発信するために電池を内蔵しているアクティブ型と、電池を内蔵せずに受けた電波で電力を得て発信するパッシブ型に分類される。このうちパッシブ型のＩＣタグは、リーダライタが電波を使って電力を送り込み、その電力でＩＣが起動するもので、その電波には指示や要求も載っており、リーダライタから電力と命令を同時に受け取るようになっている。そして、ＩＣタグはその指示に対する答えを搬送波と呼ばれる電波に載せて送り出す。電波の到達距離は最大で数メートルと短いが、小型かつ軽量で、アクティブ型に比べると非常に安価に製造できる。そのため、今後はパッシブ型のＩＣタグが多くの商品などに搭載されることが期待されている。
【０００３】
パッシブ型のＩＣタグは、ＩＣチップとアンテナを備えていさえすればどんな形状であってもよいが、いずれも長い方向で数センチほどの大きさである。また、研究開発が進み、価格についても安価になることが見えてきたことから、様々な物品にＩＣタグをつけて物流過程、保管時等における情報管理を行うことが提案されている。そして、ＩＣタグを各種物品に取り付けて使用する場合、ラベルの形態にすることが行われる。
【０００４】
ＩＣタグをラベル化するに際しては、ＩＣタグインレットを使って従来のようなラベルの形態にするのが一般的である。このＩＣタグインレットとは、通常、ＰＥＴフィルム等をベースとし、それにアンテナパターンが印刷又はエッチング等により形成するとともに、ＩＣチップを装着したものである。そして、このＩＣタグインレットの表側に印刷等を施したラベル表紙を粘着剤で貼り合わせ、裏側には両面テープでセパレート紙を貼り合わせることでＩＣタグラベルとしている。
【特許文献１】特開２００２−３４２７２８公報
【発明の開示】
【発明が解決しようとする課題】
【０００５】
上記のＩＣタグラベルは、ＩＣチップを内蔵しているため、通常の単なるラベルに比べるとＩＣチップのところに厚みがあることから、書籍等の間に挟んだり複数枚を束ねたりした場合にＩＣチップの部分が邪魔になり、耐圧性に問題が生じるとともに取扱いに難があった。そこで、ラベル表紙においてＩＣチップに対応する部分に貫通孔を設けることが考えられるが、ＩＣタグインレットのベースは透明なＰＥＴフィルム等を用いているため、ＩＣチップをベースの裏側に位置させたとしても、ラベル表紙の貫通孔からＩＣチップが見えることになり、見苦しくなってしまう。
【０００６】
本発明は、上記のような問題点に鑑みてなされたものであり、その目的とするところは、ＩＣチップに余計な力が掛からず、しかも外観上も見苦しくないようにしたＩＣタグラベルを提供することにある。
【課題を解決するための手段】
【０００７】
請求項１に記載の発明であるＩＣタグラベルは、ＩＣタグ用インレットの表側にラベル表紙が粘着剤で貼着され、裏側に両面テープを介してセパレート紙が貼着されてなるＩＣタグラベルにおいて、ラベル表紙とインレットの間に隠蔽シートを設けるとともに、ラベル表紙におけるＩＣチップに対応する部位にＩＣチップより大きなサイズの貫通孔を設けたことを特徴としている。
【０００８】
請求項２に記載の発明であるＩＣタグラベルは、請求項１に記載のＩＣタグラベルにおいて、隠蔽シートの全光線透過率が５％以下であることを特徴としている。
【発明の効果】
【０００９】
本発明のＩＣタグラベルは、ラベル表紙に設けた貫通孔のところにＩＣチップが位置するので、積み重ねた場合でもＩＣチップに余計な力が掛かることがなく、耐圧性が良好なものとなる。しかも、ラベル表紙の貫通孔のところには隠蔽シートが位置するので、外観上ＩＣチップが見えない状態となり、隠蔽シートの色をラベル表紙のデザインと合わせることで、見苦しくなるのを防止できる。
【発明を実施するための最良の形態】
【００１０】
以下、具体例を挙げて本発明の実施の形態について説明する。
【００１１】
図１は本発明に係るＩＣタグラベルの一例を示す平面図、図２は図１に示すＩＣタグラベルの断面図である。
【００１２】
このＩＣタグラベル１０は、ＩＣタグインレットを使用しており、図において１１で示す部分がＩＣタグインレットである。ここで使用するＩＣタグインレット１１は、ＰＥＴやポリプロピレン、ポリエチレン、ポリスチレン、ナイロン等からなる透明プラスチックフィルムを基材１１ａとし、その表側にアンテナパターン（図示せず）が形成され、アンテナパターンの両端にバンプを介してＩＣチップ１１ｂが装着されたものである。
【００１３】
そして、ＩＣタグインレット１１の表側には、粘着剤１２により隠蔽シート１３が設けられ、その隠蔽シート１３の上に貫通孔１５ａを打ち抜いたラベル表紙１５が粘着剤１４で貼着されている。このラベル表紙１５に設ける貫通孔１５ａは、図示のような円形に限らず、任意の形状でもよいが、ＩＣチップ１１ｂに対応する部位に形成されるものであり、ＩＣチップ１１ｂより僅かに大きなサイズである。また、ＩＣタグインレット１１の裏側には両面テープ１６を介してセパレート紙１７が貼着されている。
【００１４】
隠蔽シート１３には、着色したプラスチックシートを用いる。材質は、ＰＥＴ、ポリプロピレン、ポリエチレン、ポリスチレン、ナイロン等で、これらに顔料を添加して着色プラスチックシートとしたもの用いる。そして、この隠蔽シート１３の全光線透過率は５％以下にすることが好ましい。隠蔽シート１３の全光線透過率が５％を越えるようだと、下のＩＣチップ１１ｂが透けて見えるようになる。
【００１５】
ラベル表紙１５は、ＩＣタグインレット１１及び隠蔽層１３と一体となって物品に貼着される部分であり、その表面側には物品の内容等を表示する印刷が施されるのが通例である。このラベル表紙１５としては、通常のラベル表紙を始めとして、コート紙、或いはプラスチック材料等が適宜使用できる。
【００１６】
また、ＩＣタグインレット１１の裏側には、前記の如くセパレート紙１７があって両面テープ１６が不用意に他の物にくっつくのを防止している。また、セパレート１７の内面側はシリコン等による離型処理が施されており、両面テープ１６から容易に剥離できるようになっている。
【００１７】
このＩＣタグラベル１０を対象物品に貼着するには、セパレート紙１７を剥離除去して、ＩＣタグインレット１１、隠蔽層１３、ラベル表紙１５の一体物を物品に貼着することになる。大量に連続的に貼着する場合は、ＩＣタグラベル１０の連続体をラベラー等に充填して使用することになる。
【００１８】
上記した構成からなるＩＣタグラベル１０は、ＩＣチップ１１ｂがラベル表紙１５の貫通孔１５ａのところに位置するので、ＩＣチップ１１ｂのところで膨らんだ状態にはならず、枚葉状態で積み重ねたり連続状態で巻き取ったりしても邪魔になることがなく、ＩＣチップ１１ｂに余計な力が掛かって破損することもない。また、ラベル表紙１５の貫通孔１５ａのところには隠蔽層が位置するので、外観上ＩＣチップ１１ｂが見えない状態となる。
【００１９】
以上、具体例を挙げて本発明を説明したが、本発明によるＩＣタグラベルは、上記の例に何ら限定されるものではなく、本発明の趣旨を逸脱しない範囲において種々の変更が可能であることは当然のことである。
【図面の簡単な説明】
【００２０】
【図１】本発明に係るＩＣタグラベルの一例を示す平面図である。
【図２】図１に示すＩＣタグラベルの断面図である。
【符号の説明】
【００２１】
１０  ＩＣタグラベル
１１  ＩＣタグインレット
１１ａ  基材
１１ｂ  ＩＣチップ
１２  粘着剤
１３  隠蔽シート
１４  粘着剤
１５  ラベル表紙
１５ａ  貫通孔
１６  両面テープ
１７  セパレート紙
【図１】
2008090690.tif 000003
【図２】
2008090690.tif 000004